(57)【要約】【課題】ディスプレイ姿勢の変更指示操作を容易化した、可倒式のディスプレイを備えた「情報処理装置」を提供する。【解決手段】ディスプレイ１０３を装着したフロントパネル２２のパネル面が垂直となるクローズ状態（ａ１）においては、クローズ状態においてフロントパネル２２の下方に位置する外部キー１０７の一つである開閉キー３１が操作された場合には、フロントパネル２２を、フロントパネル２２のパネル面が水平となるフルオープン状態（ａ２）に変化させる処理を行う。また、クローズ状態（ａ１）において、開閉キー３１以外の外部キー１０７のいずれかのキーが操作された場合には、操作されたキーに応じて他のキーが操作された場合とは異なる処理を実行する。一方、フルオープン状態においては、開閉キー３１のみならず、外部キー１０７のうちの任意のキーの操作に応じて、フロントパネル２２をクローズ状態（ａ１）に復帰させる。【選択図】図３
2014230112.tif 000002
【特許請求の範囲】
【請求項１】
本体部と、ディスプレイとを備えた情報処理装置であって、
前記ディスプレイの状態を、当該ディスプレイの表示面の傾きが略垂直となるクローズ状態と、当該ディスプレイの表示面の傾きが略水平となる傾きとなるオープン状態との間で変化させるディスプレイ開閉手段と、
前記ディスプレイの状態が前記クローズ状態にあるときに、前記ディスプレイの下方に位置するように前記本体部前面に配置された複数の外部キーと、
前記外部キーの操作に応じた処理を実行する、前記本体部に収容された制御装置とを有し、
前記制御装置は、
前記ディスプレイの状態が前記クローズ状態にあるときに、前記複数の外部キーのうちの特定の外部キーの操作が発生したときに、前記ディスプレイ開閉手段に、前記ディスプレイの状態を前記オープン状態に変化させる処理であるオープン処理を実行すると共に、前記複数の外部キーのうちの前記特定の外部キー以外の外部キーの操作が発生したときに、操作された外部キーに応じて定まる、前記オープン処理とは異なる処理を実行し、
前記ディスプレイの状態が前記オープン状態にあるときに、前記複数の外部キーのうちの任意のキーの操作が発生したときに、前記ディスプレイ開閉手段に、前記ディスプレイの状態を前記クローズ状態に変化させる処理であるクローズ処理を実行することを特徴とする情報処理装置。
【請求項２】
請求項１記載の情報処理装置であって、
前記ディスプレイの状態が前記クローズ状態にあるときに、当該ディスプレイは、前記本体部の前面の前記外部キーが配置されている領域の上方の領域の少なくとも一部である可隠蔽領域を覆い、
前記ディスプレイの状態が前記オープン状態にあるときに、前記本体部の前面の前記隠蔽領域の一部の領域である可露出領域は当該ディスプレイは覆われずに露出すると共に、
前記可露出領域には、１または複数の内部キーが配置されており、
前記制御装置は、前記ディスプレイの状態が前記オープン状態にあるときに、前記内部キーが操作されたときに、当該操作を受け付けた内部キーに応じて定まる、前記クローズ処理とは異なる処理を実行することを特徴とする情報処理装置。
【請求項３】
請求項２記載の情報処理装置であって、
前記可露出領域には、前記制御装置がアクセスする記録メディアを装着するためのスロットが設けられていることを特徴とする情報処理装置。
【請求項４】
請求項１、２または３記載の情報処理装置であって、
前記ディスプレイの表示面上に配置されたタッチパネルを有し、
前記制御装置は、前記ディスプレイに１または複数のソフトキーを表示し、前記ディスプレイの状態が前記クローズ状態にあるときに、前記タッチパネルを介して前記ソフトキーの操作を受け付けたときに、当該操作を受け付けたソフトキーに応じて定まる、前記クローズ処理と異なる処理を実行し、前記ディスプレイの状態が前記オープン状態にあるときに、前記タッチパネルを介して任意の前記ソフトキーの操作を受け付けたときに、前記クローズ処理を実行することを特徴とする情報処理装置。
【請求項５】
請求項１、２、３または４記載の情報処理装置であって、
複数のリモートコントローラキーを備えたリモートコントローラを有し、
前記制御装置は、前記リモートコントローラキーの操作を受け付けたときに、前記ディスプレイの状態が前記クローズ状態であるか前記オープン状態であるかに関わらずに、各リモートコントローラキー毎に各々割り当てられている処理のうちの、操作された前記リモートコントローラキーに割り当てられている処理を実行することを特徴とする情報処理装置。
【請求項６】
請求項５記載の情報処理装置であって、
当該情報処理装置は、自動車に搭載された情報処理装置であり、
前記リモートコントローラは、前記自動車のステアリングに設けられたステアリングリモートコントローラであることを特徴とする情報処理装置。
【請求項７】
請求項１、２、３、４、５または６記載の情報処理装置であって、
当該情報処理装置は、自動車のダッシュボードに収容された情報処理装置であることを特等とする情報処理装置。
【発明の詳細な説明】
【技術分野】
【０００１】
本発明は、可倒式のディスプレイを備えた情報処理装置において、ディスプレイの開閉操作を受け付ける技術に関するものである。
【背景技術】
【０００２】
可倒式のディスプレイを備えた情報処理装置としては、CDなどのメディアを装着/脱着するためのスロットを前面に設けた本体と、可倒式のディスプレイを備えた車載装置が知られている（たとえば、特許文献１の図１、図５）。
ここで、この車載装置において、ディスプレイは、パネル状の形状を有しており、その姿勢を、表示面が略垂直となる姿勢と表示面が略水平となる姿勢との間で電動機構により変更することができるように設けられている。
また、この車載装置において、ディスプレイを表示面が略垂直となる姿勢とした状態では本体の前面のメディアのスロットを設けた部分はディスプレイによって覆われ、ディスプレイを表示面が略水平となる姿勢とした状態としたときのみ、本体前面のメディアのスロットが露出するように、当該ディスプレイは配置されている。
【０００３】
そして、このような構成によって、この車載装置は、通常は、ディスプレイの姿勢を表示面が略垂直となる姿勢としてユーザのディスプレイの視認性を確保しつつ、メディアの交換時には、ディスプレイの姿勢を表示面が略水平となる姿勢として、メディアのスロットを露出させることにより、ユーザがメディアのスロットにアクセスできるようにしている。
【先行技術文献】
【特許文献】
【０００４】
【特許文献１】特開２００３-２５７１６６号公報
【発明の概要】
【発明が解決しようとする課題】
【０００５】
上述のような可倒式のディスプレイを備えた車載装置において、ディスプレイの姿勢の変更の指示をユーザから受け付けるためのキーを、ディスプレイの姿勢を表示面が略垂直な姿勢としたときに、ディスプレイの下方となる位置に設けた場合、ディスプレイの姿勢を表示面が略垂直な姿勢としているときには問題がないが、ディスプレイの姿勢を表示面が略水平となる姿勢としたときには、当該キーがディスプレイによってユーザに対して視覚的に隠されてしまったり、ディスプレイがキーへのアクセスの障壁となるため、ユーザの当該キーの位置把握や操作が困難となるという問題が生じる。
【０００６】
そこで、本発明は、可倒式のディスプレイを備えた情報処理装置において、ユーザのディスプレイの姿勢の変更指示操作を容易化することを課題とする。
【課題を解決するための手段】
【０００７】
前記課題達成のために、本体部と、ディスプレイとを備えた情報処理装置に、前記ディスプレイの状態を、当該ディスプレイの表示面の傾きが略垂直となるクローズ状態と、当該ディスプレイの表示面の傾きが略水平となる傾きとなるオープン状態との間で変化させるディスプレイ開閉手段と、前記ディスプレイの状態が前記クローズ状態にあるときに、前記ディスプレイの下方に位置するように前記本体部前面に配置された複数の外部キーと、前記外部キーの操作に応じた処理を実行する、前記本体部に収容された制御装置とを設け、前記制御装置において、前記ディスプレイの状態が前記クローズ状態にあるときに、前記複数の外部キーのうちの特定の外部キーの操作が発生したときに、前記ディスプレイ開閉手段に、前記ディスプレイの状態を前記オープン状態に変化させる処理であるオープン処理を実行すると共に、前記複数の外部キーのうちの前記特定の外部キー以外の外部キーの操作が発生したときに、操作された外部キーに応じて定まる、前記オープン処理とは異なる処理を実行し、前記ディスプレイの状態が前記オープン状態にあるときに、前記複数の外部キーのうちの任意のキーの操作が発生したときに、前記ディスプレイ開閉手段に、前記ディスプレイの状態を前記クローズ状態に変化させる処理であるクローズ処理を実行するようにしたものである。
【０００８】
なお、このような情報処理装置は、前記ディスプレイの状態が前記クローズ状態にあるときに、当該ディスプレイは、前記本体部の前面の前記外部キーが配置されている領域の上方の領域の少なくとも一部である可隠蔽領域を覆い、前記ディスプレイの状態が前記オープン状態にあるときに、前記本体部の前面の前記隠蔽領域の一部の領域である可露出領域は当該ディスプレイは覆われずに露出するものであり、前記可露出領域には、１または複数の内部キーが配置されているものであってよい。また、この場合には、前記制御装置は、前記ディスプレイの状態が前記オープン状態にあるときに、前記内部キーが操作されたときに、当該操作を受け付けた内部キーに応じて定まる、前記クローズ処理とは異なる処理を実行するようにする。
【０００９】
また、このような情報処理装置は、前記可露出領域に、前記制御装置がアクセスする記録メディアを装着するためのスロットが設けられているものであってもよい。
ここで、以上のような情報処理装置は、前記ディスプレイの表示面上に配置されたタッチパネルを有し、前記制御装置が、前記ディスプレイに１または複数のソフトキーを表示するものであってもよい。また、この場合、制御装置は、前記ディスプレイの状態が前記クローズ状態にあるときに、前記タッチパネルを介して前記ソフトキーの操作を受け付けたときに、当該操作を受け付けたソフトキーに応じて定まる、前記クローズ処理と異なる処理を実行し、前記ディスプレイの状態が前記オープン状態にあるときに、前記タッチパネルを介して任意の前記ソフトキーの操作を受け付けたときに、前記クローズ処理を実行することも好ましい。
【００１０】
また、以上の情報処理装置は、複数のリモートコントローラキーを備えたリモートコントローラを備えたものであって良く、この場合に、前記制御装置は、前記リモートコントローラキーの操作を受け付けたときに、前記ディスプレイの状態が前記クローズ状態であるか前記オープン状態であるかに関わらずに、各リモートコントローラキー毎に各々割り当てられている処理のうちの、操作された前記リモートコントローラキーに割り当てられている処理を実行するようにすることが好ましい。また、この場合において、情報処理装置が、自動車に搭載された情報処理装置である場合には、前記リモートコントローラは、前記自動車のステアリングに設けられたステアリングリモートコントローラであってもよい。
【００１１】
また、以上の情報処理装置は、自動車のダッシュボードに収容された情報処理装置であってよい。
これらのような情報処理装置によれば、ディスプレイがクローズ状態のときにディスプレイの状態のオーブン状態への変更の指示のユーザからの受け付けに用いる特定の外部キーが、ディスプレイの状態がオーブン状態となったために、ディスプレイによってユーザに対して視覚的に隠されてしまったり、ディスプレイが当該特定の外部キーへのアクセスの障壁となってしまった場合でも、ユーザは、当該特定の外部キーを操作することの他に、任意の外部キーやソフトキーを操作することによっても、ディスプレイの状態をクローズ状態に変更することができるようになる。
【００１２】
よって、本発明によれば、ユーザは、ディスプレイがオープン状態にあるときにも、オープン状態からクローズ状態へのディスプレイの状態を変更の指示操作を容易に行えるようになる。
【発明の効果】
【００１３】
以上のように、本発明によれば、可倒式のディスプレイを備えた情報処理装置において、ユーザのディスプレイの姿勢の変更指示操作を容易化することができる。
【図面の簡単な説明】
【００１４】
【図１】本発明の実施形態に係る車載システムの機能構成を示すブロック図である。
【図２】本発明の実施形態に係る本体装置の構造、機構を示す図である。
【図３】本発明の実施形態に係る本体装置の配置とクローズ状態とオープン状態の外観を示す図である。
【図４】本発明の実施形態に係るキーへの処理の割り当て例を示す図である。
【図５】本発明の実施形態に係るディスプレイオープン処理とディスプレイクローズ処理を示すフローチャートである。
【発明を実施するための形態】
【００１５】
以下、本発明の情報処理装置の実施形態について、自動車に搭載される車載システムへの適用を例にとり説明する。
図１に、本実施形態に係る車載システムの機能構成を示す。
図示するように、車載システムは、本体装置１、リモコン２、ステアリングリモコン３、スピーカ４などを備えて構成される。
また、本体装置１は、タッチパネル１０１、タッチパネルコントローラ１０２、ディスプレイ１０３、ディスプレイコントローラ１０４、開閉アクチュエータ１０５、制御インタフェース１０６、複数の外部キー１０７、１または複数の内部キー１０８、キー入力インタフェース１０９、ディスクドライブ１１０、ドライブインタフェース１１１、カードコネクタ１１２、カードインタフェース１１３、リモコンインタフェース１１４、ステアリングリモコンインタフェース１１５、１または複数の周辺装置１１６、記憶装置１１７、オーディオ出力装置１１８、制御装置１１９とを備えている。
【００１６】
ここで、車載システムは、ＡＶシステム及びナビゲーションシステムとして機能するシステムであり、周辺装置１１６は、ラジオ放送やテレビジョン放送の放送受信機や、ＧＰＳ受信機や、自動車の車速などの各種状態を取得するインタフェース装置などである。
そして、車載システムは、ＡＶシステムとして、ドライブインタフェース１１１を介して、ディスクドライブ１１０に装着されたCDやDVDやBlu-ray(登録商標）Discなどの記録ディスクに記録された楽曲などのＡＶコンテンツを読み出して、スピーカ４やディスプレイ１０３に再生出力したり、カードインタフェース１１３を介して、カードコネクタ１１２に装着されたメモリカードなどの記録カードに記録された楽曲などのＡＶコンテンツを読み出して、スピーカ４やディスプレイ１０３に再生出力したり、放送受信機で受信したＡＶコンテンツを、スピーカ４やディスプレイ１０３に再生出力する動作などを行う。なお、スピーカ４への出力は、音声の増幅やイコライズなどの各種オーディオ処理を行うオーディオ出力装置１１８を介して行い、ディスプレイ１０３への出力はディスプレイ１０３の表示を制御するディスプレイコントローラ１０４を介して行うこととなる。
【００１７】
また、車載システムは、ナビゲーションシステムとして、記憶装置１１７に記憶されている地図データやＧＰＳ受信機の測位位置や自動車の各種状態に基づいて現在位置を算出したり、目的地の設定をユーザから受け付けて目的地までのルートを設定したり、現在位置やルートを表した画面をディスプレイ１０３に表示する動作などを行う。
【００１８】
なお、このような車載システムの本体装置１は、ＣＰＵやメモリを備えたコンピュータを用いて構成されるものであってよく、この場合、制御装置１１９は、コンピュータが所定のコンピュータプログラムを実行することにより実現されるものであってよい。
次に、本体装置１の構造、機構について説明する。
図２ａ１-ａ４に示すように、本体装置１は、構造的には、本体部２１とフロントパネル２２とを有している。
いま、図示するように前後を定めるものとして、フロントパネル２２は、開閉アクチュエータ１０５によって駆動される機構によって、図２ａ１に示すフロントパネル２２のパネル面が垂直となるクローズ状態から、図２ａ４に示すフロントパネル２２のパネル面が水平となるフルオープン状態まで、位置、姿勢を変更できるように本体部２１に支持されている。
【００１９】
ここで、図２ａ１に示すクローズ状態では、フロントパネル２２は、本体部２１の前面の下部２１１を除く部分を覆うように配置される。また、図２ａ４に示すフルオープン状態では、フロントパネル２２は、フロントパネル２２の下端の高さがクローズ状態とほぼ同じ高さとなり、かつ、クローズ状態で前方側であったパネル面が上方を向いて水平となるように配置される。すなわち、フルオープン状態では、フロントパネル２２は、本体部２１の前面の下部２１１のすぐ上の、本体部２１の前方の位置にパネル面が水平となる姿勢で配置される。
【００２０】
なお、図２ａ１-図２ａ４に示すように、フロントパネル２２のクローズ状態からフルオープン状態への遷移は、開閉アクチュエータ１０５によって駆動される機構によって、フロントパネル２２の下端の高さをクローズ状態とほぼ同じ高さに維持したまま、フロントパネル２２の下部２１１を前方に移動しながら、フロントパネル２２の上部を後方に傾けていく動作により実現される。また、この遷移の反対の動作により、フロントパネル２２のフルオープン状態からクローズ状態への遷移が実現される。
【００２１】
さて、図３ａ１に、フロントパネル２２がクローズ状態の本体装置１を前方より見たようすを表すように、フロントパネル２２には、クローズ状態において前方側となる面上に表示面が位置するようにディスプレイ１０３が固定されている。また、ディスプレイ１０３に表示面上に、タッチパネル１０１が重ねて配置されている。
【００２２】
また、複数の外部キー１０７は、本体部２１の前面の、クローズ状態においてフロントパネル２２に覆われない下部２１１に設けられている。
そして、図３ａ２に、フロントパネル２２がフルオープン状態のときの本体装置１を前方より見たようすを表すように、フロントパネル２２がフルオープン状態のとき、フロントパネル２２は水平となりディスプレイ１０３の表示面は上方を向くこととなる。
また、図３ａ２に示されるように、本体部２１の前面の、クローズ状態においてフロントパネル２２に覆われる部分には、内部キー１０８と、ディスクドライブ１１０に記録ディスクを出し入れするためのディスクスロット２１２と、カードコネクタ１１２に記録カードを出し入れするためのカードスロット２１３が設けられている。
【００２３】
そして、図３ａ１、ａ２に示すように、これら内部キー１０８と、ディスクスロット２１２、カードスロット２１３は、フロントパネル２２がクローズ状態のときにはフロントパネル２２の裏側に隠されており、フロントパネル２２をフルオープン状態とすると露出して、ユーザが利用することができるようになる。
【００２４】
さて、このような本体部２１は、図３ｂに示すように、フロントパネル２２がクローズ状態のときディスプレイ１０３の表示面がほぼ垂直な姿勢で、車両後方を向くように、自動車のダッシュボード内に設置される。
したがって、フロントパネル２２がフルオープン状態のときには、図３ａ２に示すように、外部キー１０７をユーザに対して隠蔽するように水平なフロントパネル２２が位置することとなり、ユーザの個々の外部キー１０７の位置把握や操作が困難となる。
さて、本実施形態では、クローズ状態においてフロントパネル２２に覆われない下部２１１に設けた外部キー１０７として、図３ａ１に示すように、開閉キー３１やUP/DOWNキー３２やＡＶキー３３やMODEキー３４や目的地キー３５や現在地キー３６や、その他のキー３７などを設けている。
【００２５】
また、本実施形態では、フロントパネル２２がクローズ状態のときにはフロントパネル２２の裏側に隠さる内部キー１０８として、図３ａ２に示すように、イジェクトキー４１や、その他キー４２を備えている。
次に、リモコン２は、複数のリモコンキーを備え、各リモコンキーの操作を本体装置１に通知する装置である。なお、リモコンキーとしては、外部キー１０７の各キー相当のキーとその他のキーとが設けられている。
また、ステアリングリモコン３は、図３ｂに示すように、自動車のステアリングに設けられる複数のステアリングリモコンキー３１を備え、各ステアリングリモコンキー３１の操作を本体装置１に通知する装置である。なお、ステアリングリモコンキー３１としては、ボリュームの増減操作を受け付けるための+/-キーや、その他のキーが設けられる。
【００２６】
さて、このような構成において、制御装置１１９は、外部キー１０７、内部キー１０８、リモコンキー、ステアリングリモコンキー３１、ディスプレイ１０３に表示したソフトキーの各キーのユーザの操作を、キー入力インタフェース１０９、リモコンインタフェース１１４、ステアリングリモコンインタフェース１１５、タッチパネル１０１を介して受け付け、操作されたキーに、その時点で割り当てられている処理を行う。
【００２７】
ここで、本体装置１は電源投入時の初期状態においてフロントパネル２２がクローズ状態となるように制御される。そして、フロントパネル２２がクローズ状態にある初期状態において、外部キー１０７、内部キー１０８、リモコンキー、ステアリングリモコンキー３１の各キーには、たとえば、図３ａに示すように処理が割り当てられる。
【００２８】
すなわち、フロントパネル２２がクローズ状態にある初期状態において、外部キー１０７の一つである開閉キー３１には、ディスプレイオープン処理が割り当てられてる。また、開閉キー３１を除く外部キー１０７の各キーには、フロントパネル２２がクローズ状態にある初期状態において、ディスプレイオープン処理以外の個々の処理が割り当てられる。
【００２９】
なお、フロントパネル２２がクローズ状態にあるときに、開閉キー３１を除く外部キー１０７の各キーに割り当てる処理は、切り替えるようにすることができる。
より具体的には、たとえば、フロントパネル２２がクローズ状態にある初期状態において、外部キー１０７のUP/DOWNキー３２には、トラック変更処理が割り当てられており、UP/DOWNキー３２にトラック変更処理が割り当てられているときに、UP/DOWNキー３２の操作が発生したときには、制御装置１１９はトラック変更処理を実行する。ここで、トラック変更処理は、車載システムがＡＶシステムにおいて再生出力する楽曲などのＡＶコンテンツや、放送チャネルを変更する処理である。
【００３０】
また、たとえば、フロントパネル２２がクローズ状態にある初期状態において、外部キー１０７のＡＶキー３３には、ＡＶ操作受付処理が割り当てられており、ＡＶキー３３にＡＶ操作受付処理が割り当てられているときに、ＡＶキー３３の操作が発生したときには、制御装置１１９は、ＡＶ操作受付処理を実行する。ここで、ＡＶ操作受付処理は、ＡＶシステムに対する操作受付用の画面を表示して、当該画面に設けたソフトキーでＡＶシステムに対する操作を受け付ける処理である。
【００３１】
また、たとえば、フロントパネル２２がクローズ状態にある初期状態において、外部キー１０７のMODEキー３４には、ＡＶソース切り替え処理が割り当てられており、MODEキー３４にＡＶソース切り替え処理が割り当てられているときに、MODEキー３４の操作が発生したときには、制御装置１１９は、ＡＶソース切り替え処理を実行する。ここで、ＡＶソース切り替え処理は、ＡＶシステムで再生出力するソースを、放送受信機で受信したＡＶコンテンツと、記憶装置１１７に記憶されているＡＶコンテンツと、ディスクドライブ１１０に装着された記録ディスクに記録されているＡＶコンテンツと、カードコネクタ１１２に装着されたメモリカードなどの記録カードに記録されたＡＶコンテンツの間で切り替える処理である。
【００３２】
また、たとえば、フロントパネル２２がクローズ状態にある初期状態において、外部キー１０７の目的地キー３５には、目的地受付処理が割り当てられており、目的地キー３５に目的地受付処理が割り当てられているときに、目的地キー３５の操作が発生したときには、制御装置１１９は、目的地受付処理を実行する。ここで、目的地受付処理は、ナビゲーションシステムに対する目的地設定受付用の画面を表示して、当該画面に設けたソフトキーなどで目的地の設定を受け付ける処理である。
【００３３】
また、たとえば、フロントパネル２２がクローズ状態にある初期状態において、外部キー１０７の現在地キー３６には、現在地表示処理が割り当てられており、現在地キー３６に現在地表示処理が割り当てられているときに、現在地キー３６の操作が発生したときには、制御装置１１９は、現在地表示処理を実行する。ここで、目現在地表示処理は、ナビゲーションシステムで生成した現在地周辺の地図上に現在地を表した画面をディスプレイ１０３に表示する処理である。
【００３４】
次に、たとえば、フロントパネル２２がクローズ状態にある初期状態において、内部キー１０８のイジェクトキー４１には、ディスクイジェクト処理が割り当てられており、イジェクトキー４１にディスクイジェクト処理が割り当てられているときに、イジェクトキー４１の操作が発生したときには、制御装置１１９は、ディスクイジェクト処理を実行する。ここで、ディスクイジェクト処理は、ディスクドライブ１１０から記録ディスクをディスクスロット２１２を介して排出する処理である。
【００３５】
ただし、フロントパネル２２がクローズ状態にあるときには、内部キー１０８はフロントパネル２２で覆われているため、ユーザはイジェクトキー４１などの内部キー１０８を操作することはできない。
また、フロントパネル２２がクローズ状態にある初期状態において、リモコンキーやステアリングキーの各キーにも、たとえば、図４ａに示すように、それぞれのキーに応じた処理が割り当てられており、制御装置１１９は、リモコンキーやステアリングキーの操作が発生すると、操作されたキーに、その時点で割り当てられている処理を実行する。
【００３６】
次に、ディスプレイ１０３に表示しているソフトキーの各キーには、そのソフトキーを含む画面をディスプレイ１０３に表示したときに、たとえば、図４ａに示すように、それぞれのキーに応じた処理が割り当てられ、制御装置１１９は、ソフトキーの操作が発生すると操作されたキーに、その時点で割り当てられている処理を実行する。
【００３７】
すなわち、たとえば、図３ｃに示すような、ＡＶシステムの再生動作の操作受付用のソフトキー５０として、後方スキップキー５１、再生/ポーズキー５２、前方スキップキー５３などのキーを含む画面を表示するときには、図４ａに示すように、後方スキップキー５１には、ＡＶシステムが再生出力する楽曲を一つ戻す後方スキップ処理が割り当てられ、再生/ポーズキー５２には、ＡＶシステムの再生出力動作の実行状態を再生中状態と一時停止状態とで交互に切り替える再生/ポーズ処理が割り当てられ、前方スキップキー５３には、ＡＶシステムが再生出力する楽曲を一つ進める前方スキップ処理が割り当てられ、当該割り当てが当該画面を表示している期間中維持される。
【００３８】
次に、上述のように、制御装置１１９が、フロントパネル２２がクローズ状態である初期状態において、外部キー１０７の一つである開閉キー３１に割り当てられたディスプレイオープン処理、すなわち、初期状態に設定後、フロントパネル２２がクローズ状態である期間中、制御装置１１９が開閉キー３１の操作に応じて行うディスプレイオープン処理について説明する。
図５ａに、このディスプレイオープン処理の手順を示す。
図示するように、この処理において制御装置１１９は、まず、制御インタフェース１０６を介して開閉アクチュエータ１０５を制御し、フロントパネル２２の姿勢を図２ａ１から図２ａ４に示すようにクローズ状態からフルオープン状態に変化させる動作であるディスプレイ開動作を開始させる（ステップ５０２）。
【００３９】
そして、フロントパネル２２がフルオープン状態となったらば（ステップ５０４）、全ての外部キー１０７に割り当てる処理と、現時点で表示している全てのソフトキー５０に割り当てる処理を、図４ｂに示すように全てディスプレイクローズ処理に変更する（ステップ５０６）。ここで、ステップ５０６では、内部キー１０８やリモコンキーやステアリングリモコンキー３１に割り当てる処理は変更せずに、そのまま維持する。
【００４０】
そして、ディスプレイオープン処理を終了する。
このようなディスプレイオープン処理によれば、図３ａ１に示すように、フロントパネル２２がクローズ状態であるときに、ユーザの開閉キー３１の操作が発生した場合にのみ、フロントパネル２２は図３ａ２に示すフルオープン状態に変化し、以降、ユーザはディスクスロット２１２やカードスロット２１３や内部キー１０８にアクセスすることができるようになる。
【００４１】
また、このようなディスプレイオープン処理によれば、フロントパネル２２がフルオープン状態となった後は、内部キー１０８やリモコンキーやステアリングリモコンキー３１である各キーの操作に応じて制御装置１１９が行う処理はフロントパネル２２がクローズ状態であったときと同じ処理となるが、外部キー１０７やソフトキー５０である各キーの操作に応じて制御装置１１９が行う処理は、全てディスプレイクローズ処理となる。
【００４２】
以下、このように、フロントパネル２２がフルオープン状態のときに、任意の外部キー１０７、任意のソフトキー５０の操作に応じて制御装置１１９が行うディスプレイクローズ処理について説明する。
図５ｂに、このディスプレイクローズ処理の手順を示す。
図示するように、この処理において制御装置１１９は、まず、外部キー１０７である各キーに割り当てる処理と、現時点で表示している全てのソフトキー５０である各キーに割り当てる処理を、図４ａに示す、最後に各キーにディスプレイクローズ処理を割り当てる直前に各キーに割り当てられていた処理に復帰する（ステップ５５２）。
【００４３】
そして、次に、制御インタフェース１０６を介して開閉アクチュエータ１０５を制御し、フロントパネル２２の姿勢を図２ａ４から図２ａ１に示すようにフルオープン状態からクローズ状態に変化させる動作であるディスプレイ閉動作を開始させる（ステップ５５４）。
【００４４】
そして、フロントパネル２２がクローズ状態となったらば（ステップ５５６）、ディスプレイクローズ処理を終了する。
結果、フロントパネル２２がフルオープン状態のときに、ユーザは、開閉キー３１に限らず、任意の外部キー１０７や任意のソフトキー５０を操作して、フロントパネル２２を図３ａ１に示すクローズ状態に復帰することができるようになる。また、フロントパネル２２がフルオープン状態のときであっても、ユーザは、内部キー１０８やリモコンキーやステアリングリモコンキー３１である各キーを操作して、クローズ状態のときと同様の処理を実行させることができる。
【００４５】
また、ディスプレイクローズ処理によってフロントパネル２２がクローズ状態に復帰した後は、各キーの操作に応じて実行される処理は、最後に行われたディスプレイオープン処理の実行以前に各キーに割り当てられていた処理に復帰することとなる。したがって、クローズ状態に復帰して以降、フロントパネル２２がクローズ状態である期間中、制御装置１１９は、外部キーのうち、開閉キー３１の操作のみに応じて上述したディスプレイオープン処理を行うこととなる。
以上、本発明の実施形態について説明した
なお、以上の実施形態は、車載の如何に関わらずに、可倒式のディスプレイ１０３と外部キー１０７を備えた任意の情報システムに同様に適用することができる。
【符号の説明】
【００４６】
１…本体装置、２…リモコン、３…ステアリングリモコン、４…スピーカ、２１…本体部、２２…フロントパネル、３１…開閉キー、３１…ステアリングリモコンキー、４１…イジェクトキー、５０…ソフトキー、１０１…タッチパネル、１０２…タッチパネルコントローラ、１０３…ディスプレイ、１０４…ディスプレイコントローラ、１０５…開閉アクチュエータ、１０６…制御インタフェース、１０７…外部キー、１０８…内部キー、１０９…キー入力インタフェース、１１０…ディスクドライブ、１１１…ドライブインタフェース、１１２…カードコネクタ、１１３…カードインタフェース、１１４…リモコンインタフェース、１１５…ステアリングリモコンインタフェース、１１６…周辺装置、１１７…記憶装置、１１８…オーディオ出力装置、１１９…制御装置、２１２…ディスクスロット、２１３…カードスロット。
【図１】
2014230112.tif 000003
【図２】
2014230112.tif 000004
【図３】
2014230112.tif 000005
【図４】
2014230112.tif 000006
【図５】
2014230112.tif 000007